(57)【要約】【課題】本発明は、画質切り換え操作の労力と手間を低減できるデジタル放送受信装置を提供することを目的とする。【解決手段】テレビ１１０に接続されることにより、標準画質映像信号を該テレビ１１０に出力可能な標準画質映像信号出力端子７０と、  前記テレビ１１０に接続されることにより、高画質映像信号を前記テレビ１１０に出力可能な高画質映像信号出力端子７１と、  前記標準画質映像信号出力端子７０に出力する前記標準画質映像信号又は前記高画質映像信号出力端子７１に出力する前記高画質映像信号を生成する映像信号生成手段５５と、  該映像信号生成手段５５に、前記標準画質映像信号又は前記高画質映像信号のいずれを生成及び出力させるかを選択指示する画質選択指示手段６０と、  操作パネル９１上に、ユーザにより選択操作可能に設けられ、選択操作により、前記画質選択指示手段６０に所望の画質を選択指示させる画質選択スイッチ１０と、を有することを特徴とする。【選択図】図１
2011030020.tif 000002
【特許請求の範囲】
【請求項１】
外部装置に接続されることにより、標準画質映像信号を該外部装置に出力可能な標準画質映像信号出力端子と、
前記外部装置に接続されることにより、高画質映像信号を前記外部装置に出力可能な高画質映像信号出力端子と、
前記標準画質映像信号出力端子に出力する前記標準画質映像信号又は前記高画質映像信号出力端子に出力する前記高画質映像信号を生成する映像信号生成手段と、
該映像信号生成手段に、前記標準画質映像信号又は前記高画質映像信号のいずれを生成及び出力させるかを選択指示する画質選択指示手段と、
操作パネル上に、ユーザにより選択操作可能に設けられ、選択操作により、前記画質選択指示手段に所望の画質を選択指示させる画質選択スイッチと、を有することを特徴とするデジタル放送受信装置。
【請求項２】
前記画質選択スイッチの選択操作結果を記憶する記憶手段を有し、
前記画質選択指示手段は、該記憶手段に記憶された該選択操作結果を読み出すことにより、前記映像信号生成手段に生成及び出力する画質の選択指示を行うことを特徴とする請求項１に記載のデジタル放送受信装置。
【請求項３】
前記画質選択指示手段は、画質選択指示用アプリケーションプログラムを記憶した記憶手段と、プロセッサコアを含むことを特徴とする請求項１又は２に記載のデジタル放送受信装置。
【請求項４】
チューナ又はセットトップボックスとして構成されたことを特徴とする請求項１乃至３のいずれか一項に記載のデジタル放送受信装置。
【発明の詳細な説明】
【技術分野】
【０００１】
本発明は、デジタル放送受信装置に関し、特に、標準画質映像信号又は高画質映像信号を選択して出力可能なデジタル放送受信装置に関する。
【背景技術】
【０００２】
地上デジタル放送の導入に伴い、標準画質映像信号と高画質映像信号を切り替えてテレビに出力できるようにしたデジタル放送受信用のチューナが知られている。
【０００３】
図８は、従来のチューナ１９０とテレビ２１０の接続例を示した図である。図８において、コンポジットケーブル２００で、チューナ１９０の標準画質映像出力端子（図示せず）とテレビ２１０のビデオ１端子（図示せず）とが接続され、ＨＤＭＩ（High Definition Multimedia Interface）ケーブル２０１で、チューナ１９０の高画質映像出力端子（図示せず）とテレビ２１０のＨＤＭＩ端子（図示せず）とが接続されている。この接続状態で、高画質映像信号をテレビ２１０に表示するには、チューナ１９０の映像出力設定を高画質映像出力設定とする。これにより、チューナ１９０が受信した高画質映像信号又は標準画質映像信号を、高画質映像としてテレビ２１０に出力することができる。同様に、チューナ１９０の映像出力設定を標準画質映像出力設定とすることにより、チューナ１９０が受信した高画質映像信号又は標準画質映像信号を、標準画質映像としてテレビ２１０に出力することができる。
【０００４】
従来のチューナ１９０は、かかる標準画質映像信号と高画質映像信号の切り替えを、ＧＵＩ（Graphical User Interface）を用いて行っている。これにより、テレビ２１０の画面にメニューを表示し、リモコン操作によりユーザは画質の切り替え操作を行うことができる。
【０００５】
また、ユーザが、出力端子選択スイッチを操作してモニタが接続されている端子に映像信号を出力するようにし、解像度選択スイッチを操作してモニタに表示させる解像度を選択するようにしたデジタル受信装置において、ユーザが、出力端子に不適切な解像度選択スイッチを選んでしまう事態を防止するために、モニタに接続されている出力端子に応じて、適切な出力映像の解像度を判定し、解像度変換を行って映像信号を映像出力端子に出力するようにしたデジタル放送受信装置が知られている（例えば、特許文献１参照）。
【先行技術文献】
【特許文献】
【０００６】
【特許文献１】特開２００５−８００３０号公報
【発明の概要】
【発明が解決しようとする課題】
【０００７】
しかしながら、上述のＧＵＩを用いたデジタル受信装置においては、チューナの映像信号出力設定を変更するために、メインメニュー等から複数の手順を踏み、出力設定のメニュー画面に遷移する必要があり、設定に手間を要するという問題があった。つまり、メニューを階層別に分類すると、映像信号出力設定画面は、メニューの深層部に位置することが多く、目的とする出力設定メニューに到達するまでに操作手順が多いという問題があった。
【０００８】
図９は、従来のメニュー設定の手順の一例を示した図である。図９（ａ）は、テレビ画面２１１に出力される映像出力設定画面の一例を示した図である。図９（ａ）において、映像出力設定画面の選択メニュー（選択肢）として、選択メニューＳＤ（Standard Definition）２１２と、選択メニューＨＤ（High Definition）２１３が表示されている。選択メニューＳＤ２１２は、Ｓ（Separate）端子、コンポジット端子等の標準画質映像信号の出力端子を示す選択メニューである。また、選択メニューＨＤ２１３は、Ｄ端子、ＨＤＭＩ端子等の高画質映像信号の出力端子を示す選択メニューである。ユーザは、リモコンのカーソル移動ボタンを用いて、選択する方の選択メニューにカーソルを移動させ、決定ボタンを押下することにより、チューナの映像出力画像の画質を選択できる。図９（ａ）においては、選択メニューＳＤ２１２が選択されている。
【０００９】
図９（ｂ）は、テレビ２１０の映像入力設定を選択するための映像信号入力設定画面の一例を示した図である。ＧＵＩによる処理の流れとしては、チューナ１９０の映像出力を設定した後は、テレビ２１０側の映像入力を設定する。図９（ｂ）においては、画面２１１に入力切換設定メニュー２１４が表示され、具体的な選択メニューとして、「ビデオ１」、「ビデオ２」及び「ＨＤＭＩ」が表示されている。図９（ａ）において、ユーザは、チューナ１９０の映像出力として、標準画質映像信号の選択メニューＳＤ２１２を選択したので、テレビ２１０の入力設定もこれに同調させ、「ビデオ１」を選択することになる。この場合にも、ユーザは、リモコンのカーソル移動ボタンやテレビ側に設けられている入力切換ボタンを用いて画面２１１に表示されているカーソルをビデオ１に移動させ、決定ボタンを押下してビデオ１の入力設定を行う。
【００１０】
図９（ｃ）は、画面２１１に標準画質映像信号が出力されている状態を示した図である。このようにして、所望の標準画質映像信号を画面２１１に出力することができる。ここで、標準画質映像信号を画面２１１に出力するに至るまでに、ユーザは、チューナ１９０の映像出力設定画面を表示して映像出力画面設定を行い、次いで、テレビ２１０の映像入力設定画面を表示して映像入力画面設定を行っている。つまり、ユーザは、所望の画質の映像を画面２１１に切り換えて表示させるために、各映像設定画面に到達するための画面遷移操作、選択、決定操作を複数回繰り返すことになり、ユーザの操作負担が大きいという問題があった。また、これらの一連の操作は、ＧＵＩにより定められているが、映像出力設定画面及び映像入力選定画面がメニュー画面の深層に設けられている場合が多く、画面遷移操作に多くの手順を要し、映像信号の画質切り換えが困難であるという問題があった。また、ＧＵＩによる設定順序は、チューナ１９０側の出力設定を行ってから、テレビ２１０側の入力設定を行うように定められており、両者を単独で、又は任意の順序で設定操作を行うことができないという問題があった。
【００１１】
なお、特許文献１に記載の構成では、出力端子選択スイッチの操作を省略することができるが、解像度選択スイッチの選択メニューが５個以上もあるメニューであり、やはりＧＵＩによるリモコンを用いたスイッチ操作をユーザが行わざるを得ない。よって、解像度選択スイッチの設定画面に到達するまでの画面遷移操作を行わざるを得ず、やはりユーザは、画質切り換えの操作に煩雑さを伴ってしまうという問題があった。
【００１２】
そこで、本発明は、画質切り換え操作の労力と手間を低減できるデジタル放送受信装置を提供することを目的とする。
【課題を解決するための手段】
【００１３】
上記目的を達成するため、第１の発明に係るデジタル放送受信装置は、テレビ（１１０）に接続されることにより、標準画質映像信号を該テレビ（１１０）に出力可能な標準画質映像信号出力端子（７０）と、
前記テレビ（１１０）に接続されることにより、高画質映像信号を前記テレビ（１１０）に出力可能な高画質映像信号出力端子（７１）と、
前記標準画質映像信号出力端子（７０）に出力する前記標準画質映像信号又は前記高画質映像信号出力端子（７１）に出力する前記高画質映像信号を生成する映像信号生成手段（５５）と、
該映像信号生成手段（５５）に、前記標準画質映像信号又は前記高画質映像信号のいずれを生成及び出力させるかを選択指示する画質選択指示手段（６０）と、
操作パネル（９１）上に、ユーザにより選択操作可能に設けられ、選択操作により、前記画質選択指示手段（６０）に所望の画質を選択指示させる画質選択スイッチ（１０）と、を有することを特徴とする。
【００１４】
これにより、ユーザは、操作パネル上に設けられた画質選択スイッチを操作することにより、容易に映像信号の画質の切り換えが可能となり、画質切り換えのためにテレビ画面にメニュー画面を何度も表示する煩わしさを回避することができる。
【００１５】
第２の発明は、第１の発明に係るデジタル放送受信装置において、
前記画質選択スイッチ（１０）の選択操作結果を記憶する記憶手段（５３）を有し、
前記画質選択指示手段（６０）は、該記憶手段（５３）に記憶された該選択操作結果を読み出すことにより、前記映像信号生成手段に生成及び出力する画質の選択指示を行うことを特徴とする。
【００１６】
これにより、スイッチの選択操作結果に基づいて、画質の選択動作をデジタル放送受信装置内で行うことができる。
【００１７】
第３の発明は、第１又は第２の発明に係るデジタル放送受信装置において、
前記映画質選択指示手段（６０）は、画質選択指示用アプリケーションプログラムを記憶した記憶手段（６１）と、プロセッサコア（５４）を含むことを特徴とする。
【００１８】
これにより、ＣＰＵとアプリケーションプログラムを用いて、画質選択の切り換え処理を容易に行うことができる。
【００１９】
第４の発明は、第１〜３のいずれかの発明に係るデジタル放送受信装置において、
チューナ（９０）又はセットトップボックスとして構成されたことを特徴とする。
【００２０】
これにより、デジタル放送受信装置がテレビと別体で構成されている場合にも、画質の切り換えを操作スイッチで容易に行うことができる。
【００２１】
上記括弧内の符号は、理解を容易にするために付したものであり、一例に過ぎず、図示の態様に限定されるものではない。
【発明の効果】
【００２２】
本発明によれば、映像信号の画質の切り換え操作を簡素化することができる。
【図面の簡単な説明】
【００２３】
【図１】本実施例に係るデジタル放送受信装置の全体構成の一例を示した図である。
【図２】本実施例に係るデジタル受信装置のシーケンスの一例を示した図である。
【図３】従来のデジタル受信装置の全体構成の一例を示した図である。
【図４】図３に示した従来のデジタル放送受信装置のシーケンス例を示した図である。
【図５】チューナ９０本体に設けられた画質選択スイッチ１０の一例を示した図である。
【図６】本実施例に係るデジタル放送受信装置の画質変更操作の一例を示した図である。図６（ａ）は、テレビ１１０の映像入力設定方法の一例を示した図である。図６（ｂ）は、チューナ９０の映像出力設定方法の一例を示した図である。図６（ｃ）は、テレビ１１０に標準画質映像が出力された状態を示した図である。
【図７】本実施例に係るデジタル放送受信装置と従来のデジタル放送受信装置の画質変更までの手順比較図である。
【図８】従来のチューナ１９０とテレビ２１０の接続例を示した図である。
【図９】従来のメニュー設定の手順の一例を示した図である。図９（ａ）は、テレビ画面２１１に出力される映像出力設定画面の一例を示した図である。図９（ｂ）は、テレビ２１０の映像信号入力設定画面の一例を示した図である。図９（ｃ）は、画面２１１に標準画質映像信号が出力された状態を示した図である。
【発明を実施するための形態】
【００２４】
以下、図面を参照して、本発明を実施するための形態の説明を行う。
【００２５】
図１は、本発明の実施例に係るデジタル放送受信装置の全体構成の一例を示した図である。本発明のデジタル放送受信装置は、チューナ、セットトップボックス等のデジタル放送を受信する種々のデジタル放送受信装置に適用することができるが、本実施例においては、デジタル放送受信装置をチューナ９０に適用した例について説明する。
【００２６】
チューナ９０は、テレビ１１０に接続されて設けられる。テレビ１１０は、ビデオ１入力端子１１５と、ＨＤＭＩ入力端子１１６とを備える。ビデオ１入力端子１１５には、標準画質映像信号が入力される。ＨＤＭＩ端子１１６には、高画質映像信号が入力される。よって、テレビ１１０は、標準画質映像信号と高画質映像信号の双方が入力可能であり、双方の映像信号を画面に出力可能に構成されている。
【００２７】
チューナ９０は、標準画質映像信号出力端子７０と、高画質映像信号出力端子７１とを有する。標準画質映像信号出力端子７０は、標準画質映像信号を出力する端子であり、高画質映像信号出力端子７１は、高画質映像信号を出力する端子である。チューナ９０の標準画質映像信号出力端子７０と、テレビ１１０のビデオ１入力端子１１５とが、コンポジットケーブル１００で接続される。また、チューナ９０の高画質映像信号出力端子７１と、テレビ１１０のＨＤＭＩ端子１１６とが、ＨＤＭＩケーブル１０１で接続される。
【００２８】
つまり、チューナ９０の標準画質映像出力端子７０から標準画質映像信号が出力されれば、テレビ１１０に標準画質映像信号が入力され、高画質映像信号出力端子７１から高画質映像信号が出力されれば、テレビ１１０に高画質映像信号が入力されるように、チューナ９０とテレビ１１０は接続構成される。
【００２９】
なお、テレビ１１０は、入力設定の切り換え等が必要であれば、そのように構成されてもよい。本実施例に係るデジタル放送受信装置においては、チューナ９０の出力設定は、テレビ１１０の入力設定とは連動しておらず、独立して行うことが可能であるので、テレビ１１０の入力設定等が必要であれば、所望のタイミングで入力設定を行うことができる。また、テレビ１１０が、そのような入力設定が不要なタイプであれば、入力設定が不要であることは言うまでもない。
【００３０】
次に、チューナ９０の各構成要素について説明する。チューナ９０は、画質選択スイッチ１０と、映像信号入力部２０と、ＡＤコンバータ３０と、復調部４０と、メインＣＰＵ５０と、画質選択指示手段６０と、サブＣＰＵ８０とを備える。
【００３１】
画質選択スイッチ１０は、ユーザにより、テレビ１１０に出力する映像信号の画質を選択することが可能なスイッチである。画質選択スイッチ１０は、チューナ９０の操作パネル、つまり外面上に設けられ、ユーザから指による押下やスライド等により切り換え操作が可能なハードウェアスイッチである。画質選択スイッチ１０は、操作により選択された画質に応じて、電気信号を出力する。例えば、標準画質映像信号が選択された場合には、「０」又は「L」を出力し、高画質映像信号が選択された場合には、「１」又は「H」を出力するように構成されてよい。また、画質選択スイッチ１０は、ユーザが指で直接的に容易に操作可能であれば、その態様は問わない。例えば、押しボタン式であってもよいし、スライド式であってもよい。
【００３２】
映像信号入力部２０は、受信した映像信号が入力される部分であり、必要に応じて、アンテナ等の受信手段が接続されてよい。また、高周波信号処理等も併せて行ってよい。本実施例に係るデジタル受信装置においては、映像信号の画質の切り換え動作を行う領域を詳細に示しており、映像信号の受信手段については記載を省略しているが、映像信号の受信のために必要な手段を備えていてよい。また、受信するデジタル信号は、例えば、変調方式に、マルチキャリアのＯＦＤＭ（Orthogonal Frequency Division Multiplexing、直交周波数分割多重）、ＴＣ８ＰＳＫ（trelis
coding 8 Phase Shift Keying）、ＱＰＳK（Quaternary
phase-shift keyinｇ）、ＢＰＳＫ（Binary phase-shift keying）、ＱＡＭ（Quadrature amplitude modulation）が利用されてよい。
【００３３】
ＡＤコンバータ３０は、受信した映像信号を、デジタル信号に変換する手段である。また、復調部４０は、受信した映像信号を復調するための手段である。
【００３４】
メインＣＰＵ５０は、映像信号の種々の処理を行うＣＰＵ（Central Processing Unit、中央処理装置）である。メインＣＰＵ５０は、分離部５１と、デコーダ５２と、Ｉ／Ｏレジスタ５３と、プロセッサコア５４と、ディスプレイエンジン５５とを備える。
【００３５】
分離部５１は、多重化されたＯＦＤＭ信号を元々の個別のＴＳ（Transport Stream）信号として取り出す手段である。具体的には、分離部５１は、映像信号情報を含むデータと、それ以外の情報信号とを分離し、映像信号情報を含むデータのみを、デコーダ５２に送る。
【００３６】
デコーダ５２は、暗号を解読して複合化し、もとの映像信号データを取り出す。これにより、出力すべき映像信号データが取得される。
【００３７】
Ｉ／Ｏレジスタ５３は、画質選択スイッチ１０の操作結果に応じて出力された電気信号、例えば、「１」、「０」等を記憶するための記憶手段である。本実施例においては、画質選択スイッチ１０により標準画質映像信号が選択された場合には「０」、高画質映像信号が選択された場合には「１」がI／Oレジスタ５３に記憶される例を挙げて説明する。
【００３８】
プロセッサコア５４は、ディスプレイエンジン５５に映像信号の画質選択指令を出し、ディスプレイエンジン５５に選択した画質の映像信号を作成及び出力させるための指令信号出力手段である。また、プロセッサコア５４は、画質選択指示手段６０の一部を構成し、アプリケーションプログラム記憶手段６１に記憶されたプログラムを読み込んで実行し、プログラムの指令に応じた画質選択指示をディスプレイエンジン５５に出力する。なお、プロセッサコア５４は、メインＣＰＵ５０のプロセッサコアとして動作してよい。
【００３９】
ディスプレイエンジン５５は、映像信号の生成及び出力を行う映像信号生成手段である。ディスプレイエンジン５５は、標準画質映像信号及び高画質映像信号が生成するとともに、生成された映像信号が標準画質映像信号の場合には、これを標準映像信号出力端子７０に出力し、生成された映像信号が高画質映像信号の場合には、これを高画質映像信号出力端子７１に出力する。
【００４０】
ディスプレイエンジン５５は、画質選択部５６と、映像信号生成部５７とを有する。画質選択部５６は、出力する映像の画質を、画質選択指示手段６０のプロセッサコア５４の指示に従って選択する。画質選択部５６は、画質選択指示手段６０からの指示に従って、生成する映像の画質を選択する処理を行うことができれば、種々の手段により構成されてよい。本実施例においては、ＮＡＮＤゲート５６ａ及びＡＮＤゲート５６ｂからなる論理回路が画質選択部５６として構成されているが、他の構成であってもよい。上流のデコーダ５２からは、映像信号が存在する場合には、「１」の信号が常に入力されるので、プロセッサコア５４から「１」の信号が入力されれば、ＡＮＤゲート５６ｂから「１」が出力されるとともに、ＮＡＮＤゲート５６ａからは「０」が出力されるので、高画質映像信号が選択される。同様に、プロセッサコア５４から「０」の信号が入力されれば、ＮＡＮＤゲート５６ａから「１」が出力されるとともに、ＡＮＤゲート５６ｂから「０」が出力されるので、標準画質映像信号が選択される。
【００４１】
映像信号生成部５７は、標準画質映像信号エンコーダ５８と、高画質映像信号エンコーダ５９とを含む。標準画質映像信号エンコーダ５８においては、デコーダ５２から送られてきた映像信号を、標準画質映像信号に符号化する動作を行う。同様に、高画質映像信号エンコーダ５９においては、デコーダ５２から送られてきた映像信号を、高画質映像信号に符号化する動作を行う。
【００４２】
つまり、画質選択部５６においては、標準画質映像信号エンコーダ５８と高画質映像信号エンコーダ５９のいずれを動作させるかを選択し、選択した方の映像信号エンコーダ５８、５９に、デコーダからの映像信号を供給し、選択された画質の映像信号を生成し、出力することになる。
【００４３】
画像選択指示手段６０は、画質選択スイッチ１０の選択に従い、ディスプレイエンジン５５に、選択された画質の映像信号の生成と出力を指示する画像選択指示信号を出力する手段である。画像選択指示手段６０は、プロセッサコア５４と、アプリケーションプログラム記憶手段６１とを有する。プロセッサコア５４については、メインＣＰＵ５０の説明において既に説明したので、アプリケーションプログラム記憶手段６１について説明する。
【００４４】
アプリケーションプログラム記憶手段６１には、Ｉ／Ｏレジスタ５３に記憶された選択結果の情報に従い、プロセッサコア５４に選択された画質の映像について画像選択指示信号を出力させるようなアプリケーションプログラムが記憶されている。例えば、アプリケーションプログラム記憶手段６１に記憶されたアプリケーションプログラムに、プロセッサコア５４がＩ／Ｏレジスタ５３に記憶された情報を参照するような命令処理が含まれており、Ｉ／Ｏレジスタ５３の選択結果に基づいて、コアプロセッサ５４が画像選択指示信号を出力するような処理が行われてもよい。
【００４５】
なお、アプリケーションプログラム記憶手段６１は、例えば、ＲＯＭ（Read Only Memory）で構成されてもよい。
【００４６】
サブＣＰＵ８０は、メインＣＰＵを補うＣＰＵである。従来の、ＧＵＩを用いた画質選択の設定においては、サブＣＰＵ８０を用いてメニュー画面の遷移等の処理が行われていた。本実施例に係るデジタル放送受信装置においては、画質選択設定においては、サブＣＰＵ８０が用いられないので、他の構成要素との関連が無く、後に説明する従来例との比較のために示されている。
【００４７】
次に、図２を用いて、本実施例に係るデジタル受信装置のシーケンス例について説明する。図２は、本実施例に係るデジタル受信装置のシーケンスの一例を示した図である。
【００４８】
図２において、まず、画質選択スイッチ１０がユーザにより操作される。これにより、画質選択スイッチ１０は、「０」又は「１」を出力する。図１における説明と同様に、標準画質映像信号が選択された場合には「０」が出力され、高画質映像信号が選択された場合には「１」が出力されるものとする。
【００４９】
画質選択スイッチ１０の選択結果の「０」又は「１」は、メインＣＰＵ５０内のＩ／Ｏレジスタ５３に記憶され、格納される。
【００５０】
次に、アプリケーションプログラム記憶手段６１に記憶されたアプリケーションプログラムがプロセッサコア５４に実行され、画質選択に必要な処理が行われる。その際、プロセッサコア５４が、I／Oレジスタ５３に格納された画質選択データを参照する処理が含まれていてもよい。
【００５１】
次に、プロセッサコア５４から、ディスプレイエンジン５５に画質選択指示信号が出力され、標準画質映像信号又は高画質映像信号で画面描画を行うかの指示がなされる。
【００５２】
ディスプレイエンジン５５では、画質選択部５６において画面描画を行う画質が選択され、映像信号生成部５７の標準画質映像信号エンコーダ５８又は高画質映像信号エンコーダ５９において、テレビ１１０に出力される映像が生成され、出力される。
【００５３】
この一連のシーケンスにより、チューナ９０の映像出力の設定切り換えは完了する。なお、テレビ１１０側の入力設定の切り換えが必要な場合には、チューナ９０の出力設定の切り換えとは無関係に、任意のタイミングで行うことができる。従来、ＧＵＩで設定切り換えを行う場合には、チューナ９０の出力設定をまず行い、次いでテレビ１１０の入力設定を行うという順序に固定されていたが、本実施例に係るデジタル受信装置によれば、チューナ９０の出力設定とテレビ１１０の入力設定を独立して行うことができ、切り換え設定の時間を短縮することができる。また、画質選択の切り換えが、画質選択スイッチ１０の選択操作のみでできるため、選択操作の手間を大幅に省くことができる。
【００５４】
次に、比較参考例として、従来のデジタル受信装置の構成及び入力設定動作について説明する。
【００５５】
図３は、従来のデジタル受信装置の全体構成の一例を示した図である。図３においても、図１に対応させて、デジタル受信装置をチューナ１９０に適用した例を示している。また、図３において、図１と同様の構成要素については、同一の参照符号を付している。図１において説明した構成要素については、同一の参照符号を付してその説明を省略するものとする。
【００５６】
図３において、図１と異なる点は、画質選択スイッチ１０が消滅し、その代わり、リモートコントローラ受信部１１０が設けられ、また、サブＣＰＵ１８０が、Ｉ／Ｏレジスタ５３に接続されている点である。また、アプリケーションプログラム記憶手段１６１は、記憶手段としてのハードウェアは同一であるが、記憶されているアプリケーションプログラムが図１とは異なっている。その他の構成要素については、図１における本実施例に係るデジタル放送受信装置と同様であるので、説明を省略する。
【００５７】
図４は、図３に示した従来のデジタル放送受信装置のシーケンス例を示した図である。図３及び図４を用いて、従来のデジタル放送受信装置の動作について説明する。
【００５８】
まず、ユーザがリモートコントローラ（図示せず）のメニューボタンを押下すると、リモートコントローラ受信部１１０がメニューボタンのコードをサブＣＵＰ１８０に通知する。図４においては、メニューボタンのコードは「０ｘ１１」として示されている。
【００５９】
次いで、リモコンコード「０ｘ１１」を受け取ったサブＣＰＵ１８０は、メインＣＰＵ５０のＩ／Ｏレジスタ５３にリモコンコード「０ｘ１１」を格納する。
【００６０】
次いで、アプリケーションプログラム記憶手段１６１をプロセッサコア５４が読み込んで処理を実行し、プロセッサコア５４からディスプレイエンジン５５にメニュー画面描画の指示信号が出力される。ここまでの処理で、リモコン操作によるメニュー画面表示が完了する。リモコンボタンによる操作は、１回ボタンを押す毎に、同様のシーケンスが発生する。
【００６１】
次いで、メニュー画面の選択メニュー（選択肢）を選択するために、カーソルを移動させる操作が行われる。図４においては、カーソルを下に移動させる操作例が示されている。
【００６２】
まず、カーソルを下に移動させるために、ユーザにより、リモートコントローラの矢印「↓」ボタンが押下される。その後は、「↓」のコード「０ｘ２１」が、サブＣＰＵ１８０、Ｉ／Ｏレジスタ５３、アプリケーションプログラム記憶手段１６１、プロセッサコア５４、ディスプレイエンジン５５と順次伝達してシーケンスが実行され、最終的に、カーソルを下に移動させたメニュー画面が描画される。
【００６３】
同様の動作が、選択する項目の選択メニューに到達するまで繰り返される。そして、選択する項目に到達したときに、決定ボタンが押下される。このようなシーケンスを繰り返し、矢印ボタンと決定ボタンを組み合わせて押下して画面遷移操作を行い、最終的に映像出力設定画面を描画させる。
【００６４】
映像出力設定画面においても、矢印ボタンが押下されて、カーソルが選択する項目に向かって移動させられる。そして、選択する項目にカーソルが達したら、決定ボタンが押下される。このとき、決定ボタンに割り当てされたコード「０ｘ３１」が、リモートコントローラ受信部１１０からサブＣＰＵ１８０に通知される。次いで、サブＣＰＵ１８０から受け取ったリモコンコード「０ｘ３１」がＩ／Ｏレジスタ５３に格納される。また、プロセッサコア５４がアプリケーションプログラム記憶手段１６１に記憶されたアプリケーションプログラムを実行し、プロセッサコア５４が、映像出力設定画面において、標準画質映像信号又は高画質映像信号が選択されたと認識する。そして、ディスプレイエンジン５５に、標準画質映像信号又は高画質映像信号を出力するように指示する。そして、最終的に、選択された画質で、映像信号がメインＣＰＵ５０から出力されることになる。
【００６５】
このように、従来のデジタル放送受信装置においては、リモートコントローラのボタンを１回押す度に、１つのシーケンスが発生し、更に、設定画面に至るまでの画面遷移に要するシーケンスも考慮すると、膨大な手間を要することが分かる。
【００６６】
一方、図１及び図２において説明したように、本実施例に係るデジタル放送受信装置においては、そのようなシーケンスが1回で済んでいるので、いかに画質選択に要する時間と負担を軽減できているかが分かる。
【００６７】
次に、図５及び図６を用いて、本実施例に係るデジタル放送受信装置の外観的な構成と操作の一例について説明する。
【００６８】
図５は、チューナ９０の本体に設けられた画質選択スイッチ１０の一例を示した図である。図５において、チューナ９０の操作パネル９１上に、画質選択スイッチ１０が設けられている。画質選択スイッチ１０は、左側に標準画質映像選択メニュー「ＳＤ」が示され、右側に高画質映像選択メニュー「ＨＤ」が示されている。画質選択スイッチ１０は、例えば、選択する側を押下すると、反対側が浮き上がる押しボタン式のスイッチでも良いし、スイッチノブを左側又は右側に移動させて「ＳＤ」と「ＨＤ」を選択させるスライド式スイッチであってもよい。
【００６９】
ハード的に画質選択スイッチ１０を、チューナ９０の選択パネル９１面上に設けたことにより、ユーザは、ハードスイッチを指で操作することにより、容易にチューナの映像出力の設定を切り換えることができる。これにより、１回のスイッチ操作でチューナ９０の出力設定を切り換えることができ、煩雑なスイッチ操作を回避することができる。
【００７０】
図６は、本実施例に係るデジタル放送受信装置を用いた場合の視聴画質変更操作方法の一例を示した図である。
【００７１】
図６（ａ）は、テレビ１１０の映像入力設定方法の一例を示した図である。図６（ａ）において、テレビ１１０の画面１１１に、入力切り換え用のメニュー画面が表示されている。このメニュー画面から、ユーザはテレビ１１０の入力設定を行えばよい。従来は、ＧＵＩのシーケンス順序により、最初にチューナ９０の出力設定を行ってからテレビ１１０の入力設定を行う必要があったが、本実施例に係るデジタル受信装置を用いれば、最初にテレビ１１０の入力設定を行うことが可能となる。
【００７２】
なお、図６（ａ）においては、標準画質映像信号を出力するビデオ１端子が選択された例が示されている。
【００７３】
図６（ｂ）は、チューナ９０の映像出力設定方法の一例を示した図である。図６（ｂ）において、チューナ９０の操作パネル９１面上に、画質選択スイッチ１０が、ハードウェアスイッチとして設けられている。ユーザは、画質選択スイッチ１０を、「ＳＤ」を選択側に操作することにより、標準画質映像信号を出力する出力設定とすることができる。つまり、テレビ１１０の画面１１１を用いることなく、単独でチューナ９０の画質の出力設定切り換えを行うことができる。
【００７４】
図６（ｃ）は、テレビ１１０に標準画質映像が出力された状態を示した図である。テレビ１１０の入力設定をビデオ１端子とし、チューナ９０から標準画質映像信号を出力する状態に設定したことにより、画面１１１に標準画質映像が出力される。
【００７５】
このように、本実施例に係るデジタル放送受信装置によれば、テレビ１１０の入力設定とチューナ９０の出力設定の順序に束縛されることなく視聴画質変更を行うことができる。また、チューナ９０の出力設定は、テレビ１１０の画面１１１を用いることなく、画質選択スイッチ１０を選択操作することにより、１回の操作で画質切り換えが可能となり、選択操作を容易にすることができる。
【００７６】
図７は、本実施例に係るデジタル放送受信装置と、従来のデジタル放送受信装置の視聴画質変更までの手順（工数）を比較した図である。
【００７７】
図７において、チューナの映像信号出力設定手段を、クリック数において比較した表が示されている。ここで、クリック数とは、リモートコントローラのボタンを押下又はハードウェアスイッチ（画質選択スイッチ１０）を切り換え操作した回数を意味する。従来の、ＧＵＩを用いた画質変更では、クリック数が１８であるのに対し、本実施例に係るデジタル放送受信装置のハードウェアスイッチを採用した場合には、クリック数が５に減少している。そのクリック数の差は１８であり、ハードウェアスイッチの設置により、操作回数を従来の１／３以下に低減できることが分かる。
【００７８】
このように、本実施例に係るデジタル放送受信装置によれば、ユーザの画質切り換え操作を簡易にすることが可能である。
【００７９】
以上、本発明の好ましい実施例について詳説したが、本発明は、上述した実施例に制限されることはなく、本発明の範囲を逸脱することなく、上述した実施例に種々の変形及び置換を加えることができる。例えば、レコーダー等の映像記録装置であって、標準画質映像による記録と高画質映像の記録を選択できるような映像記録装置や、いずれか一方のみが記録できるような映像記録装置にチューナが接続されるような場合にも、本発明を適用することにより、チューナからの映像信号の画質の切り換え操作を簡素化することができる。
【産業上の利用可能性】
【００８０】
本発明は、デジタルチューナ、セットトップボックス等を含むデジタル放送受信装置に利用することができる。
【符号の説明】
【００８１】
１０    画質選択スイッチ
２０    映像信号入力部
３０    ＡＤコンバータ
４０    復調部
５０    メインＣＰＵ
５１    分離部
５２    デコーダ
５３    Ｉ／Ｏレジスタ
５４    プロセッサコア
５５    ディスプレイエンジン
５６    画質選択部
５６ａ    ＮＡＮＤゲート
５６ｂ    ＡＮＤゲート
５７    映像信号生成部
５８    標準画質映像信号エンコーダ
５９    高画質映像信号エンコーダ
６０    画像選択指示手段
６１    アプリケーションプログラム記憶手段
７０    標準画質映像信号出力端子
７１    高画質映像信号出力端子
８０    サブＣＰＵ
９０    チューナ
９１    操作パネル
１００    コンポジットケーブル
１０１    ＨＤＭＩケーブル
１１０    テレビ
１１１    画面
１１５    ビデオ１入力端子
１１６    ＨＤＭＩ入力端子
【図１】
2011030020.tif 000003
【図２】
2011030020.tif 000004
【図３】
2011030020.tif 000005
【図４】
2011030020.tif 000006
【図５】
2011030020.tif 000007
【図６】
2011030020.tif 000008
【図７】
2011030020.tif 000009
【図８】
2011030020.tif 000010
【図９】
2011030020.tif 000011